(57)【要約】  【課題】  処理するデータと同一のデータを当該処理時に自動的に取得して蓄積することにより、意識して操作する必要のない取り扱うデータのバックアップを実現して、データの保管管理を容易化すること。  【解決手段】  処理命令に従って文書データに所望のデータ処理を行った後、この文書データを符号化し、次いで、符号化された文書データをイントラネットやインターネット等のネットワークを介して接続された大容量記憶装置１２、１５にバックアップする。また、操作部２３によってＩＣカードを読取り、このＩＣカード内に記憶されるユーザＩＤを、符号化された文書データと共に大容量記憶装置１２、１５に送出する。【選択図】  図１
2005333682.tif 000002
【特許請求の範囲】
【請求項１】
記憶装置とネットワークを介して接続された文書データを処理する複写機であって、
処理命令に従って文書データに所望のデータ処理を行う処理手段と、
前記文書データを符号化する符号化手段と、
前記符号化手段により符号化された前記文書データを前記記憶装置に送出する送出手段とを備えたことを特徴とする複写機。
【請求項２】
前記送出手段は、前記処理手段と共に実行されることを特徴とする請求項１に記載の複写機。
【請求項３】
ＩＣカードを読取る読取手段を備え、
前記送出手段は、前記読取手段によって読取られた前記ＩＣカード内に記憶されるユーザＩＤを、前記符号化された文書データと共に前記記憶装置に送出することを特徴とする請求項１または請求項２に記載の複写機。
【請求項４】
文書データへの処理と共に前記文書データをネットワークを介して接続された記憶装置にバックアップするバックアップ方法であって、
処理命令に従って文書データに所望のデータ処理を行うステップと、
前記文書データを符号化するステップと、
前記符号化された前記文書データを前記記憶装置に送出して記憶させるステップとを含んでなることを特徴とするバックアップ方法。
【発明の詳細な説明】
【技術分野】
【０００１】
本発明は、複写機およびバックアップ方法に関し、取り扱うデータを意識せずにバックアップすることができる複写機およびバックアップ方法に関する。
【背景技術】
【０００２】
従来より、重要であるために保管する文書（画像や文字が表示された文書）や、将来使用する可能性のある文書などの書類は、紙に記録させた状態のままファイルされて書棚等に整理されていた。しかし、書類が膨大な事業所などでは、その保管に場所が取られてしまうと共に、所望の書類を探すのにも手間が掛かっていた。
【０００３】
このため、近年には、データ処理技術の高度化・高速化と共に、記憶装置の低価格化に伴って、保管する必要のある文書は、スキャナ装置により読取らせて大容量記憶装置に蓄積させておく、所謂、ファイルシステムが出現しており、このファイルシステムは、書類が膨大な事業所などに限らずに導入されている。
【発明の開示】
【発明が解決しようとする課題】
【０００４】
しかしながら、このような従来のファイルシステムにあっては、いずれにしてもスキャナ装置により文書を読取らせる必要があるため、その都度、整理することができないときには後回しにされて積み上げられた状態となってしまう。また、このような書類を整理するためには、保管の要否を確認した後に、保管する必要のある文書を個々にスキャナ装置により読取らせるとともに分類するための入力作業を行わなければならず、まとめてファイル作業を行おうにも、作業が煩雑であるために折角のファイルシステムを有効に利用することができない状況に陥り易いという問題があった。
【０００５】
また、ファイルシステムに保管する文書は、保管するか否かにより整理されたものであることから、保管されずに廃棄された文書は後になって必要となっても入手することができない。
【０００６】
このため、文書の保管の要否を確認する際に、その判断が容易な書類ばかりとは限らないことから、作業に時間が掛かってしまう。また、そのときには、明かに不要な書類であっても、後になって必要になるものもある。
【０００７】
ところで、ファイルシステムに保管する文書は、会議に使用するためにコピーした書類であったり、取引先とファクシミリ装置などにより送受信した書類であったり、ワークステーション（ＷＳ）やパーソナルコンピュータ（ＰＣ）などにより作製してプリントアウトした書類である。要するに、保管する文書は、１回以上電気信号に変換処理され用紙に記録出力などされているものである。
【０００８】
そこで、本発明者は、従来のファイルシステムにおける問題を解消すべく、検討を重ねることによって、このファイルシステムに保管されるまでの文書の経過を抽出することに至り、この文書データを利用することができないかと、鋭意開発を行い本発明をするに至った。
【０００９】
すなわち、本発明は、処理するデータと同一のデータを当該処理時に自動的に取得して蓄積することにより、意識して操作する必要のない取り扱うデータのバックアップを実現して、データの保管管理を容易化することを目的としている。
【課題を解決するための手段】
【００１０】
本発明の複写機は、記憶装置とネットワークを介して接続された文書データを処理する複写機であって、処理命令に従って文書データに所望のデータ処理を行う処理手段と、前記文書データを符号化する符号化手段と、前記符号化手段により符号化された前記文書データを前記記憶装置に送出する送出手段とを備えたものから構成されている。
【００１１】
この構成により、所望のデータ処理が行われた文書データは、ユーザに他の特別な入力操作を要求することなく（蓄積命令の入力の有無に拘らずに）、自動的に記憶装置に蓄積される。したがって、文書データを、ユーザが意識することなく記憶装置にバックアップすることができ、文書データの保管管理を容易化することができる。なお、この蓄積文書データは、記憶装置を他の読出装置にセットして読み出すことにより、利用することができる。
【００１２】
また、本発明の複写機の前記送出手段は、前記処理手段と共に実行されるものから構成されている。
この構成により、文書データの送出が、処理命令に従って文書データに所望のデータ処理を行うのと同時に行われるので、所望のデータ処理が行われた文書データは、ユーザに他の特別な入力操作を要求することなく、自動的に記憶装置に蓄積される。
【００１３】
また、本発明の複写機は、ＩＣカードを読取る読取手段を備え、前記送出手段は、前記読取手段によって読取られた前記ＩＣカード内に記憶されるユーザＩＤを、前記符号化された文書データと共に前記記憶装置に送出するものから構成されている。
【００１４】
この構成により、記憶装置に記憶され文書データをユーザＩＤと共に管理することができる。また、記憶装置から文書データを読み出すときに、ユーザＩＤに一致した文書データを簡単に読み出すことができる。
【００１５】
また、本発明のバックアップ方法は、文書データへの処理と共に前記文書データをネットワークを介して接続された記憶装置にバックアップするバックアップ方法であっで、処理命令に従って文書データに所望のデータ処理を行うステップと、前記文書データを符号化するステップと、前記符号化された前記文書データを前記記憶装置に送出して記憶させるステップとを含んでなる。
【００１６】
この方法により、所望のデータ処理が行われた文書データは、ユーザに他の特別な入力操作を要求することなく（蓄積命令の入力の有無に拘らずに）、自動的に記憶装置に蓄積される。したがって、文書データは、ユーザが意識することなく記憶装置にバックアップされる。
【発明の効果】
【００１７】
本発明は、処理するデータと同一のデータを当該処理時に自動的に取得して蓄積することにより、意識して操作する必要のない取り扱うデータのバックアップを実現して、データの保管管理を容易化する複写機およびバックアップ方法を提供することができる。
【発明を実施するための最良の形態】
【００１８】
以下、本発明を図面に基づいて説明する。
図１および図２は本発明に係る複写機およびバックアップ方法の一実施の形態を示す図であり、図１はその複写機を備えたバックアップシステムの概略全体構成を示す概念図、図２はそのバックアップシステム内の処理装置を示すブロック図である。
【００１９】
図１において、１０はデータを有効利用するために構築されているデータ管理システムであり、このデータ管理システム１０は、ユーザが取り扱うデータをバックアップするデータバックアップシステムとして機能するとともに、そのユーザの必要に応じてファイルシステムとしても機能してデータを再利用することができるように構築され、ユーザの事業所内のイントラネット上に接続されている高機能デジタル複写機（ＭＦＰ：Multi Function Printer）１１と、大容量記憶装置（ＩＭＳ：Infinit Memory Server）１２と、パーソナルコンピュータ（ＰＣ）１３と、接続装置（ＭＦＢ：Multi Function Box）１４と共に、インターネット上の後述するサービスを提供するサービス提供会社の大容量記憶装置（ＷｅｂＩＭＳ）１５により構築されている。
【００２０】
複写機１１は、制御部２１が装置各部を統括制御するようになっており、この制御部２１は内蔵するＣＰＵ（Central Processing Unit：中央処理装置）がＲＯＭ（Read Only Memory：記憶媒体）内から読み出した制御プログラムに従って装置各部の駆動条件や管理データ等の各種情報を記憶するとともに動作する上で必要なデータを記憶するＲＡＭ（Random Access Memory）を利用して後述する各種機能と共に本発明の各種処理を実行する。
【００２１】
この制御部２１には、図２に示すように、駆動条件、装置状態、あるいは入力情報などの各種情報を表示する表示部２２と、ユーザによる設定や命令等の入力操作を行うポートと共にＩＤカードをセットするスロットが配設されている操作部（読取手段）２３と、ＰＳＴＮ（Public Switched Telephone Network）に接続され発着信の際に所定の回線制御を実行して回線接続あるいはその切断を行うＮＣＵ部（網制御装置）２４と、画データや各種手順信号を内蔵するモデム装置により変復調しＮＣＵ部２４を介してファクシミリ通信（送受信）を実行するとともに不図示のＩ／Ｆ（インターフェイス）によりイントラネットに接続されて画データや文字データなどの文書データの送受信（伝送）を実行する通信制御部２５と、送信／複写する原稿画像から画データを読取る読取装置２６と、読取／受信した画データに基づいて記録媒体により画像を用紙に記録して出力する記録装置２７と、読取／受信した画データを蓄積する画像メモリ部２８と、送信する画データをデータ圧縮して符号化する一方、受信した画像データを伸長して復号化するＤＣＲ（Data Compression and Reconstraction）部として機能するとともに画データの変倍処理や文字データ（コードデータ）を画像メモリ部２８中にマップ展開して画データとする変換処理等を要求に応じて行う画像処理部２９とが接続されている。
【００２２】
したがって、この複写機１１は、画データを伝送するファクシミリ通信や文書データをＰＣ１３間などで伝送するデータ通信などを行う伝送機能と、読取画データを記録出力する複写（コピー）機能と、受信文書データを記録出力する記録機能とを備える処理装置を構成しており、複写機としてだけではなく、ファクシミリ装置、プリンタ装置、スキャナ装置としても利用することができるようになっている。
【００２３】
一方、イントラネット上の大容量記憶装置１２およびインターネット上の大容量記憶装置１５は、送られてきたデータをそのまま蓄積するようになっており、大容量記憶装置１２は複写機１１にイントラネットを介して外付けされた形式で利用される一方、大容量記憶装置１５はサービス提供会社に登録しているユーザによってインターネット上にもう一つの大容量記憶装置を具備するものとして利用することができる。
【００２４】
なお、本実施の形態では、画像メモリ部２８は処理する文書データを一時的に記憶する記憶手段として使用するのみであるが、画像メモリとしてハードディスク装置を内蔵して、その一部領域を大容量記憶装置１２の前段で最新の文書データを蓄積し一定容量以上になったときに古い文書データから大容量記憶装置１２に転送するようにしても良い。また、大容量記憶装置１２は複写機１１にイントラネットを介して接続するが、直接外付けして利用できるようにしても良い。
【００２５】
ＰＣ１３は、ＣＰＵ（制御部２１のＣＰＵと異なる中央処理装置）、メモリ（ＲＯＭ、ＲＡＭなど）、およびＩ／Ｏ回路等からなり、ディスプレイを見ながらタッチパネル、キーボード、マウスなどを操作することにより不図示のハードディスク装置（記憶媒体）内から読み出したアプリケーションプログラムに従って演算処理などを行うことにより文書や画像の作成などの各種処理を行うシステムとして利用することができるようになっており、その文書データは複写機１１の各種機能を利用して、ユーザＩＤと共に処理命令（指示）を送出することにより、プリントアウトしたり、入力した送信先にファクシミリ送信することができるとともに、複写機１１がファクシミリ受信した画データを受け取ったり、複写機１１に読取らせた画データを受け取ったりすることができる。
【００２６】
接続装置１４は、複写機１１、大容量記憶装置１２、ＰＣ１３などの端末装置のネットワークハブとして機能して相互間のデータ通信を中継することによりローカルエリアネットワーク（ＬＡＮ）環境を構築すると共に、インターネットに接続して、複写機１１やＰＣ１３からインターネット上のサービス提供会社にアクセスして各種情報を利用することができるように機能してイントラネット環境を構築する。
【００２７】
また、この複写機１１の制御部２１は、サービス提供会社のバックアップサービスを受けるために、内蔵する不揮発ＲＡＭ内に、そのサービス提供会社のアドレス、ユーザＩＤ毎に対応する登録ＩＤ（サービスを受けるためのユーザＩＤで、ＩＤカード内のものと同一であっても良い）、およびパスワードなどのインターネットに接続してサービスを受けるのに必要なデータが格納されており、インターネット上の大容量記憶装置１５によるサービスを受ける場合に、それらデータを送出してアクセスが完了した後に処理命令などを送出する。
【００２８】
そして、大容量記憶装置１５は、サービス提供会社の不図示の通信制御装置を介してインターネットに接続されており、その通信制御装置は、ＣＰＵが記録媒体内から読み出した制御プログラムに従って登録ユーザからのアクセスにより大容量記憶装置１５を書込・読出可能にオープンして、続けてバックアップの処理命令があったときには送られてくる文書データと共に後述する付加データ（処理日時など）をそのまま蓄積する一方、アクセスに続けて、蓄積する文書データの参照指示があったときには一定容量の文書データの１ページ目と共に付加データを参照指示毎に読み出して繰り返し送出し、そのうちから選択された文書データの転送命令が送られてきたときには対応する１文書分の文書データを読み出して返送するようになっている。
【００２９】
具体的には、複写機１１の制御部２１は、備える機能により処理する文書データをユーザによる処理命令（ＰＣ１３からの処理命令や自機内で複写処理する読取文書データの記録出力命令などを含む）に従って所望のデータ処理を行うのと同時に、その処理命令以外の指示入力（後述する「Ｕｎ・Ｄｏ」ボタンによる蓄積回避命令など）がないときには、その処理命令に応じた機能により伝送または記録出力する文書データを画像処理部２９により符号化して圧縮した後にイントラネット上の大容量記憶装置１２に送出して蓄積させるようになっている。
【００３０】
このときに大容量記憶装置１２の使用容量（蓄積容量）を確認して予め設定されている容量を超えているときには送出・蓄積を実行する前あるいは後にインターネット上のサービス提供会社にアクセスして一定容量の文書データを古いものから順次読み出して転送させた後にその大容量記憶装置１５に蓄積させるようになっている。本実施の形態では、制御部２１が処理手段を構成し、画像処理部２９が符号化手段を構成し、通信制御部２５が送出手段を構成している。
【００３１】
また、この複写機１１は、操作部２３にセットされたＩＤカードに書き込まれているファクシミリ通信先の電話番号やＰＣ１３のアドレスなどと共に処理条件を読み出して容易に各種機能を利用できるとともに、同時にユーザＩＤをＩＣカードから読み出して、またはＰＣ１３から受け取って利用した処理機能や処理枚数などの管理情報をそのユーザＩＤ毎に制御部２１のＲＡＭ内に格納し課金処理などに利用することができるようになっている。
【００３２】
この制御部２１は大容量記憶装置１２に文書データを送出し蓄積するバックアップ処理を実行する際には少なくともそのユーザＩＤおよび処理日時を文書データに付加して送出するようになっている。すなわち、制御部２１は、蓄積管理手段を構成している。
【００３３】
なお、複写機１１がユーザＩＤを入力されることなく動作される場合には課金処理時に共通費として使用する複写機１１に予め割り振っておいた共有ＩＤ（ユーザＩＤ）を不揮発ＲＡＭ内から読み出し文書データに付加して大容量記憶装置１２、１５に蓄積させる。
【００３４】
そして、ＰＣ１３は、複写機１１により処理した文書データの参照・転送を要求するメニューをディスプレイ上で選択して複写機１１を利用する際に必要なユーザＩＤを入力することにより、処理済文書データの参照指示命令と共にユーザＩＤをその複写機１１に送出するようになっている。
【００３５】
そして、この指示命令を受けた複写機１１からはユーザＩＤの一致する複数の文書データの１ページ目が処理日時の最新のものからその付加データと共に返送されてくるので、その文書データの最新の処理日時が右下に位置するように図３に示すカレンダビュー形式３０の画面をスクロールボタン３１により高速・低速にスクロール可能に表示して、文書データのサムネイル画像（先頭ページの復号化した画データを縮小表示する画像）３２を該当する処理日時毎に表示出力して確認することができ、文字などの文書内容を確認したいときにはそのサムネイル画像３２をマウスでクリックしたりタッチパネルの表示箇所を押下してディスプレイ全面に選択された文書データをスクロール可能に表示出力することができる。
【００３６】
また、表示画面中の検索ボタン３４を選択することにより他の付加データをも一文書毎に処理日時順に一覧表示させて確認することができるようになっており、さらに絞込ボタン３５を選択して任意の期間の処理日時や他の付加データを入力指示することによりカレンダビュー３０中から該当しない不要な文書データのサムネイル画像３２を省いたり、該当するサムネイル画像３２をカレンダビュー３０中で赤色点滅反転表示させたりして、確認する文書数を少なくすることができる。
【００３７】
そして、所望の文書データがあった場合にはそのサムネイル画像３２をマウスやタッチパネルで選択して呼出ボタン３３を選択することにより、その文書データに該当する１文書分の文書データの転送指示命令を送出して処理済みの文書データを再入手しディスプレイに表示出力することができ、また複写機１１に送ってプリントアウトするなど各種機能により処理することができる。
【００３８】
また、ユーザＩＤの入力なく処理された文書データは、秘密性が低いと考えて、ユーザＩＤが入力されて共有文書データの参照・転送指示が入力されることを条件に、その共有ＩＤをユーザＩＤとして用いることによりその共有ＩＤの付加されている文書データを大容量記憶装置１２、１５から読み出して同様に処理することができるようになっている。なお、このときに処理日時が入力された場合には、その処理日時以前からの文書データのみを読出・転送するようにサービス提供会社の通信制御装置を構成しても良く、これによって所望の文書データを容易かつ迅速に入手することができる。
【００３９】
一方、この指示命令を受けた複写機１１の制御部２１は、大容量記憶装置１２内のユーザＩＤの一致する文書データの１ページ目を処理日時（付加データ）が最新のものから読み出して画像処理部２９により復号化して復元した後にＰＣ１３に返送し、そのうちから選択されたいずれかの転送指示を受けたときには該当する１文書分の文書データを大容量記憶装置１２から読み出し復元した後にＰＣ１３に転送する。
【００４０】
このときに処理日時が大容量記憶装置１２に蓄積するものより古いデータを参照するように指示命令（さらにスクロールされることを命令に換えても良い）が入力されたときには、内蔵する不揮発ＲＡＭ内からサービス提供会社のアドレス、ユーザＩＤ毎の登録ＩＤおよびパスワードなどを読み出してインターネット上のサービス提供会社にアクセスして文書データの参照指示を送出するようになっており、以降同様に処理して、大容量記憶装置１５内から選択された１文書分の文書データをＰＣ１３に転送する。
【００４１】
すなわち、制御部２１は、出力管理手段をも構成しており、この出力管理手段の表示手段はＰＣ１３のディスプレイが、操作手段はＰＣ１３のタッチパネルなどが構成している。また、ＰＣ１３は、サービス提供会社のアドレス、登録ＩＤおよびパスワードを入力することにより、複写機１１を介すことなく直接アクセスし、大容量記憶装置１５内の文書データの参照・転送を要求するメニューをディスプレイ上で選択できるようにしても良く、この場合には、ＰＣ１３は複写機１１にネットワークを介して接続した出力管理手段を構成する。また、複写機１１は、自機が備える表示部２２および操作部２３からの入力操作により同様な処理を実行できるようにしても良いことは云うまでもない。
【００４２】
したがって、複写機１１により処理される同一の文書データは、特別な入力操作を要求することなく、自動的にイントラネット上またはインターネット上の大容量記憶装置１２、１５に蓄積されてバックアップが取られた後に、ユーザは必要に応じてＰＣ１３等から参照・転送指示を入力することにより、文書データの１ページ目をカレンダビュー３０中のサムネイル画像３２と付加データとにより確認・選択して容易に再利用することができる。したがって、複写機１１により処理する文書データをユーザに意識させることなくファイル（バックアップ）して、複写機１１で再度記録出力するなど再利用することができる。
【００４３】
このように本実施の形態では、処理命令に従って文書データに所望のデータ処理を行った後、この文書データを符号化し、次いで、符号化された文書データをイントラネットやインターネット等のネットワークを介して接続された大容量記憶装置１２、１５にバックアップするようにしたので、ユーザに他の特別な入力操作を要求することなく（蓄積命令の入力の有無に拘らずに）、自動的に大容量記憶装置１２、１５に蓄積することができる。したがって、文書データを、ユーザが意識することなく大容量記憶装置１２、１５にバックアップすることができ、文書データの保管管理を容易化することができる。
【００４４】
また、本実施の形態では、文書データの送出を、処理命令に従って文書データに所望のデータ処理を行うのと同時に行うので、所望のデータ処理が行われた文書データは、ユーザに他の特別な入力操作を要求することなく、自動的に大容量記憶装置１２、１５に蓄積することができる。
【００４５】
また、本実施の形態では、操作部２３によってＩＣカードを読取り、このＩＣカード内に記憶されるユーザＩＤを、符号化された文書データと共に大容量記憶装置１２、１５に送出するようにしたので、大容量記憶装置１２、１５に記憶され文書データをユーザＩＤと共に管理することができる。また、大容量記憶装置１２、１５から文書データを読み出すときに、ユーザＩＤに一致した文書データを簡単に読み出すことができる。
【００４６】
また、本実施の形態では、文書データをバックアップする際に、イントラネット上の大容量記憶装置１２が一杯になったときにはサービス提供会社のサービスを利用してインターネット上の大容量記憶装置１５に蓄積させることができ、ユーザ毎に極端に大きな大容量記憶装置を準備することなく、オーバーフローなどを気にすることなく、複写機１１を利用することができる。
【００４７】
そして、複写機１１の機能を利用して１回でも処理した原稿などは、紛失したり、廃棄した後であっても、必要になったときに最新のものから参照して大容量記憶装置１２、１５より読出・転送してもらうことにより、記録出力などして再入手することができ、ファイルシステムとして容易に利用することができる。
【００４８】
このときには、カレンダビュー３０に処理日時順に表示されるサムネイル画像３２や付加データを用いて必要な文書データを容易に選択することができるとともに、処理日時を特定することにより、その処理日時以前から参照することもでき、迅速に所望の文書データを入手可能にすることができる。
【００４９】
また、本実施の形態の他の態様としては、複写機１１が備える機能による文書データの処理前あるいは処理中（スタートキーなどの入力前や入力後）に「Ｕｎ・Ｄｏ」ボタンなどを押下して蓄積回避命令を入力することにより、文書データのバックアップ動作のみを行わないことを指示できるようにしても良く、この場合には、「Ｕｎ・Ｄｏ」ボタンの入力による蓄積回避命令により制御プログラム中のバックアップ処理のステップをスキップして備える機能の処理のみを継続するようにすれば良い。
【００５０】
なお、このときに、文書データの蓄積が開始されている場合には、該当する蓄積データの付加データを消去して蓄積データを読み出し不能に消去するようにする。これによって、この他の態様では、バックアップの明かに不要なデータやセキュリティの必要なデータを蓄積してしまうことを回避することができ、自動的にバックアップすることによる弊害を解消して利用性を向上させることができる。
【産業上の利用可能性】
【００５１】
以上のように、本発明に係る複写機およびバックアップ方法は、処理するデータと同一のデータを当該処理時に自動的に取得して蓄積することにより、意識して操作する必要のない取り扱うデータのバックアップを実現して、データの保管管理を容易化することができるという効果を有し、取り扱うデータを意識せずにバックアップすることができる複写機およびバックアップ方法等として有用である。
【図面の簡単な説明】
【００５２】
【図１】本発明に係る複写機およびバックアップシステムの一実施の形態を示す図であり、その複写機を備えたバックアップシステムの概略全体構成を示す概念図
【図２】一実施の形態の複写機のブロック図
【図３】一実施の形態の複写機に係るファイルしたデータの参照時の表示画面を示す図
【図４】図３の表示画面の一部拡大図
【符号の説明】
【００５３】
１１  複写機
１２、１５  大容量記憶装置（記憶装置）
２１  制御部（処理手段）
２３  操作部（読取手段）
２５  通信制御部（送出手段）
２９  画像処理部（符号化手段）
【図１】
2005333682.tif 000003
【図２】
2005333682.tif 000004
【図３】
2005333682.tif 000005
【図４】
2005333682.tif 000006